(57)【特許請求の範囲】
【請求項１】
ＭＩＤＩデータでなる入力信号を受信する受信手段と、
複数の単位表示手段からなり、前記受信手段で受信されたＭＩＤＩデータのボリューム値をバーグラフ状のレベルメータ表示で行うレベルメータ表示手段と、
前記レベルメータ表示手段における表示制御を行う表示制御手段とを備え、
前記表示制御手段は、前記受信手段がオフライン状態であること、前記受信手段で不正なＭＩＤＩデータが受信されたこと、または前記受信手段が使用するバッファエリアが満杯となったことのいずれかのエラー状態が検出された際に、前記レベルメータ表示手段における特定の単位表示手段を点滅させる表示制御を行うようにしたことを特徴とする表示装置。
【請求項２】
ＭＩＤＩデータでなる入力信号を受信する受信手段と、
複数の単位表示手段からなり、前記受信手段で受信されたＭＩＤＩデータのボリューム値をバーグラフ状のレベルメータ表示で行うレベルメータ表示手段と、
複数の単位表示手段からなり、前記受信手段における複数のポートのうちの入力信号を受信したポートを表示するポート表示手段と、
前記レベルメータ表示手段と前記ポート表示手段における表示制御を行う表示制御手段とを備え、
前記表示制御手段は、前記受信手段がオフライン状態であること、前記受信手段で不正なＭＩＤＩデータが受信されたこと、または前記受信手段が使用するバッファエリアが満杯となったことのいずれかのエラー状態が検出された際に、前記レベルメータ表示手段における特定の単位表示手段を点滅させる表示制御を行うと共に、前記ポート表示手段においてエラー状態の種別を表示するよう特定の単位表示手段を点灯させる表示制御を行うことを特徴とする表示装置。
【請求項３】
前記入力信号に含まれるＭＩＤＩデータが指し示す音源フォーマットを識別するフォーマット識別手段と、
前記入力信号に含まれるＭＩＤＩデータが前記音源フォーマットの種別に依存するメッセージを検出する特定メッセージ検出手段とを、さらに備え、
前記表示制御手段は、前記音源フォーマットの種別に依存するメッセージを受信した場合は、前記レベルメータ表示手段と前記ポート表示手段とにおける前記識別した音源フォーマットに応じた矩形状の範囲で組み合わせた複数の単位表示手段を順次点滅制御することにより、前記音源フォーマットの種別に依存するメッセージを受信したことを報知するようにしたことを特徴とする請求項２記載の表示装置。
【請求項４】
前記レベルメータ表示手段の特定の単位表示手段は、ＭＩＤＩデータのボリューム値のピークを示す表示手段であって、前記レベルメータ表示手段を構成する他の単位表示手段とは異なる発光色とされていることを特徴とする請求項１ないし３のいずれかに記載の表示装置。
【発明の詳細な説明】
【０００１】
【発明が属する技術分野】
本発明は、備えられている表示装置を利用して種々の内容を表示することのできる表示装置に関するものであり、特に、電子的に楽音を発生する装置に適用して好適なものである。
【０００２】
【従来の技術】
従来、ＭＩＤＩキーボードやシーケンサ、あるいはパソコンからＭＩＤＩ信号を供給することにより楽音信号を生成する装置としてＭＩＤＩ音源装置が知られている。このようなＭＩＤＩ音源装置には各種表示を行うための表示手段が備えられている。例えば、受信したＭＩＤＩ信号のポート番号を表示する表示部やＭＩＤＩ信号のボリュームを示すレベルメータ用の表示部が設けられている。この表示手段は液晶表示器により構成することが一般的であり、これにより種々の表示を行うことができる。しかし、楽音信号を生成する装置を低価格で提供したい場合には、高価な液晶表示器は装置のコストを押し上げてしまう不都合がある。そこで、これを解決するために従来は、液晶表示器に替えて安価なＬＥＤ（発光ダイオード）表示器を用いるようにしていた。
【０００３】
【発明が解決しようとする課題】
ＭＩＤＩ（Musical Instrumets Digital Interface）には、ＭＩＤＩメッセージの受信仕様を必要最小限の範囲で統一したＧＭ（General MIDI）規格が定められており、これにより各社ＧＭモデル間の曲再生の互換性が保たれている。一方、音色やエフェクトの増加によりＧＭ対応規格では表現力不足となったため、各社がＧＭを独自に拡張した上位互換性を有する規格を提唱している。例えば、ＸＧ（登録商標）規格やＧＳ（登録商標）規格が各社から提唱されている。また、ＧＭ規格を拡張したＧＭ２規格がＭＩＤＩ標準化規格として追加されている。これらの規格に対応したＭＩＤＩ信号を再生するには、音源装置に使用する規格を通知し、その後通知した規格のフォーマットとされたＭＩＤＩ信号を供給する必要がある。このため、供給されたＭＩＤＩ信号の種別を表示して、使用する音源フォーマットを報知することも行われている。また、メーカ特有のデータを送るためのメッセージがＭＩＤＩには用意されている。このメッセージは、システム・エクスクルーシブ・メッセージとして知られており、このシステム・エクスクルーシブ・メッセージによりメーカ特有の音色パラメータ等を扱えるようになる。そこで、システム・エクスクルーシブ・メッセージを受信した際に、その表示を行うことも考えられる。
【０００４】
ＬＥＤ表示器は、ＬＥＤ素子の単体あるいはＬＥＤ素子を集合して構成されており、ＬＥＤ素子はカラー化されているものの、その単体の大きさから一般には、点灯状態と消灯状態の２状態で表示を行うようにしている。したがって、上記したような種々の表示を行うには、その表示用の専用のＬＥＤ表示器を備える必要があり、多数のＬＥＤ素子が必要になって、パネル占有面積が大きくなると共にコストが上昇するという問題点があった。
【０００５】
そこで、本発明は特定の表示を行うために設けられた表示部を用いて種々の表示を行えるようにした表示装置を提供することを目的としている。
【０００６】
【課題を解決するための手段】
前記目的を達成するために、本発明の表示装置は、ＭＩＤＩデータでなる入力信号を受信する受信手段と、複数の単位表示手段からなり、前記受信手段で受信されたＭＩＤＩデータのボリューム値をバーグラフ状のレベルメータ表示で行うレベルメータ表示手段と、前記レベルメータ表示手段における表示制御を行う表示制御手段とを備え、前記表示制御手段は、前記受信手段がオフライン状態であること、前記受信手段で不正なＭＩＤＩデータが受信されたこと、または前記受信手段が使用するバッファエリアが満杯となったことのいずれかのエラー状態が検出された際に、前記レベルメータ表示手段における特定の単位表示手段を点滅させる表示制御を行うようにしている。
また、前記目的を達成する本発明の他の表示装置は、ＭＩＤＩデータでなる入力信号を受信する受信手段と、複数の単位表示手段からなり、前記受信手段で受信されたＭＩＤＩデータのボリューム値をバーグラフ状のレベルメータ表示で行うレベルメータ表示手段と、複数の単位表示手段からなり、前記受信手段における複数のポートのうちの入力信号を受信したポートを表示するポート表示手段と、前記レベルメータ表示手段と前記ポート表示手段における表示制御を行う表示制御手段とを備え、前記表示制御手段は、前記受信手段がオフライン状態であること、前記受信手段で不正なＭＩＤＩデータが受信されたこと、または前記受信手段が使用するバッファエリアが満杯となったことのいずれかのエラー状態が検出された際に、前記レベルメータ表示手段における特定の単位表示手段を点滅させる表示制御を行うと共に、前記ポート表示手段においてエラー状態の種別を表示するよう特定の単位表示手段を点灯させる表示制御を行うようにしている。
【０００７】
さらに、上記本発明の表示装置において、前記入力信号に含まれるＭＩＤＩデータが指し示す音源フォーマットを識別するフォーマット識別手段と、前記入力信号に含まれるＭＩＤＩデータが前記音源フォーマットの種別に依存するメッセージを検出する特定メッセージ検出手段とを、さらに備え、前記表示制御手段は、前記音源フォーマットの種別に依存するメッセージを受信した場合は、前記レベルメータ表示手段と前記ポート表示手段とにおける前記識別した音源フォーマットに応じた矩形状の範囲で組み合わせた複数の単位表示手段を順次点滅制御することにより、前記音源フォーマットの種別に依存するメッセージを受信したことを報知するようにしてもよい。
さらにまた、上記本発明の表示装置において、前記レベルメータ表示手段の特定の単位表示手段は、ＭＩＤＩデータのボリューム値のピークを示す表示手段であって、前記レベルメータ表示手段を構成する他の単位表示手段とは異なる発光色とされていてもよい。
【０００８】
このような本発明によれば、レベルメータ表示用の第１の表示手段と、入力ポート表示用の第２の表示手段とを組み合わせて表示を行うことにより、レベルメータ表示や入力ポート表示以外の種々の表示を行うことができるようになる。これにより、新たに表示器を設けることなくエラー表示や入力信号の状態表示等の種々の表示を行うことができるようになる。
例えば、レベルメータ表示用の表示手段のうちの特定の単位表示手段、例えば他と異なる発光色の単位表示手段を点灯させると共に、入力ポート表示用の単位表示手段を選択的に点灯させることにより、種々のエラー状態等を表示させることができるようになる。
【０００９】
さらに、レベルメータ表示用の表示手段と、入力ポート表示用の表示手段とを矩形状の範囲で選択して回転表示されるように順次点滅制御することにより、入力信号種別を表示して、使用する音源フォーマットを表示することができるようになる。
さらにまた、表示手段を構成する単位表示手段を所定間隔おきに複数選択して点灯させることにより、テストモード等の動作状態にはいったことを表示することができる。
【００１０】
【発明の実施の形態】
本発明の表示装置を備える音源装置のハードウェアの構成例を図１に示す。
図１において、１０は受信したＭＩＤＩメッセージを解釈して発音パラメータを生成したり、受信したＭＩＤＩメッセージに応じてパネル表示部１６の表示制御を行う等の各部の動作を制御する中央処理装置（Central Processing Unit：システムＣＰＵ）であり、動作時の経過時間を示したり、特定の間隔でタイマ割込を発生するタイマを備えている。１１はシステムＣＰＵ１０が実行するファームウェア等のプログラムや、音色パラメータ等の各種データが格納されているシステムＲＯＭ（Read Only Memory）であり、１２は設定された各種データ等の格納エリアや、システムＣＰＵ１０のワークエリア等が設定されるシステムＲＡＭ（Random Access Memory）である。また、１３は実時間信号処理をディジタル値の代数演算によって高精度かつ高安定に行なうことのできるディジタル信号処理装置（以下、「ＤＳＰ」という）である。
【００１１】
このＤＳＰ１３は、乗算や加算などの演算を高速に実行することができる高速演算部、それらの演算に使用する係数を格納する係数レジスタ、システムＲＡＭ１２への読出書込アドレスを格納するアドレスＲＡＭ、入出力データや途中結果データを記憶するためのＲＡＭ、システムＣＰＵ１０とのインタフェース部、および、各部を制御するためのマイクロプログラムを格納するマイクロプログラムメモリなどを有している。そして、マイクロプログラムメモリに格納されたマイクロプログラムに従って、係数レジスタに格納されている係数値を用いて入力データに所定の演算処理を行い、あるいは、システムＲＡＭ１２を使用してデータに所定の遅延を与えることにより、所定のエフェクト処理あるいは波形発生処理などを行うようになされている。
【００１２】
１４はＭＩＤＩメッセージが入力されるＭＩＤＩインタフェース（ＭＩＤＩ  Ｉ／Ｆ）であり、ＭＩＤＩインタフェース１４にはＭＩＤＩキーボードやシーケンサ、あるいはパソコン等が接続されてこれらの機器からＭＩＤＩメッセージが供給される。１５は音源装置のモードの設定や、ポートの設定やポートにおけるＭＩＤＩチャンネル（「パート」ともいう）の音色やエフェクトの設定等を行うパネル操作子である。１６はＭＩＤＩメッセージを受信したポートを表示するポート表示用表示部と、各ポートに入力されたＭＩＤＩメッセージのトータルのボリューム値を表示するレベルメータ用表示部からなるパネル表示部である。１７は、各ブロック間のデータや命令の受け渡しが行われるバスである。
【００１３】
図１に示す音源装置における本発明にかかる表示装置であるパネル表示部１６の構成を図２に示す。
図２に示すように、パネル表示部１６は２段の表示部から構成されており、１段目のＬＥＤ２０〜ＬＥＤ２３の４つのＬＥＤ素子からなる表示部は、ポートＡ、ポートＢ、ポートＣ、ポートＤの４つのポートを表示するポート表示用表示部（ＰＯＲＴ）である。このポート用表示部において、パネル表示部１６の上に付したポートＡ〜Ｄの下に位置するＬＥＤ２０〜ＬＥＤ２３を点灯することにより、そのアルファベットで示されるポートのＭＩＤＩメッセージが受信されたことが報知される。例えば、ポートＢのＭＩＤＩメッセージがＭＩＤＩインタフェース１４を介して受信されると、システムＣＰＵ１０はパネル表示部１６のＬＥＤ２１を点灯させるように表示制御を行う。
なお、ポートＡ〜ポートＤの４つのポートは、それぞれ１６チャンネルから構成されており、４つのポートを用いて６４チャンネルのＭＩＤＩチャンネルを有する音源装置とされている。この場合、チャンネル１〜チャンネル１６がポートＡ、チャンネル１７〜チャンネル３２がポートＢ、チャンネル３３〜チャンネル４８がポートＣ、チャンネル４９〜チャンネル６４がポートＤにそれぞれ割り当てられている。
【００１４】
また、ポートＡ〜ポートＤに入力されたＭＩＤＩデータのボリュームを合算したトータルボリューム値が、２段目のレベルメータ用表示部（ＬＥＶＥＬ）により表示される。レベルメータ用表示部は、ＬＥＤ２４〜ＬＥＤ３０の７つのＬＥＤ素子から構成されており、例えば、ＬＥＤ３０の発光色は赤色とされ、ＬＥＤ２４〜ＬＥＤ２９の発光色は緑色とされている。レベルメータ用表示部では、トータルボリューム値の大きさに応じてＬＥＤ２４〜ＬＥＤ３０に向かってバーグラフ状に点灯していき、バーグラフの長さによりトータルボリューム値が表示されるようになる。
【００１５】
次に、図１に示す音源装置の動作と、パネル表示部１６に表示される表示態様とを説明する。
図１に示す音源装置の電源を投入すると、システムＣＰＵ１０は各種レジスタのクリアや各ＭＩＤＩチャンネルに前回設定された音色やデフォルトの音色を設定する等の初期化を行うと共に、初期化中は図４に示すようにパネル表示部１６の全てのＬＥＤ２０〜ＬＥＤ３０を点滅表示させてオープニング表示を行う。初期化が終了し、通常（プレモード時）モードとされてＭＩＤＩインタフェース１４にＭＩＤＩメッセージが受信されると、ＭＩＤＩメッセージがノート・オン、ノート・オフ、コントロール・チェンジ、プログラム・チェンジ等のチャンネル・メッセージの場合は、図３（ａ）に示すようにＭＩＤＩメッセージが受信されたポートに対応するＬＥＤ２０〜ＬＥＤ２３のいずれかが点灯される。この表示制御はシステムＣＰＵ１０により行われる。例えば、ポートＢにおけるノート・オン・メッセージが受信された際には、システムＣＰＵ１０はＬＥＤ２１を点灯させると共に、受信したノート・オン・メッセージ中のＭＩＤＩチャンネル番号、ノート・ナンバ、ベロシティ情報に基づいてピッチデータや音量データ等からなる音源パラメータを生成してＤＳＰ１３に送る。ＤＳＰ１３は、供給された音源パラメータと、初期化により設定されている音色パラメータ等に基づいて指定されたＭＩＤＩチャンネル用の楽音信号を生成して出力する。
【００１６】
また、レベルメータ用表示部においては、図３（ｂ）に示すようにポートＡ〜ポートＤに入力されたＭＩＤＩデータのボリュームを合算したトータルボリューム値に応じて、ＬＥＤ２４〜ＬＥＤ３０がバーグラフ状に表示される。このトータルボリューム値が大きいときには、赤色のＬＥＤ３０も点灯するようになる。ところで、音源装置にパソコンからＭＩＤＩメッセージが供給されるように設定されている場合に、パソコンと音源装置とがケーブルにより正しく接続されておらずオフラインとなっている場合は、システムＣＰＵ１０は図５（ａ）に示すようにポートＡのＬＥＤ２０を点灯させると共に、赤色のＬＥＤ３０を点滅させることにより、パソコンと音源装置とがオフラインになっていることを表示する。また、ＭＩＤＩインタフェース１４から不正なＭＩＤＩメッセージが受信された場合は、システムＣＰＵ１０は図５（ｂ）に示すようにポート表示用表示部のＬＥＤ２１を点灯させると共に、レベルメータ用表示部の赤色のＬＥＤ３０を点滅させることにより、不正なＭＩＤＩメッセージが受信されたことを表示する。
【００１７】
さらに、ＭＩＤＩメッセージが大量に送られる等により、システムＲＡＭ１２に設定したバッファエリアが満杯になり、それ以上処理できなくなったときは、システムＣＰＵ１０は図５（ｃ）に示すようにポートＣのＬＥＤ２２を点灯させると共に、赤色のＬＥＤ３０を点滅させることにより、バッファが満杯になったことを表示する。さらにまた、システム・メッセージであるエクスクルーシブ・メッセージを受信した際に不正なエクスクルーシブ・メッセージであった場合は、システムＣＰＵ１０は図５（ｄ）に示すようにポート表示用表示部のＬＥＤ２３を点灯させると共に、レベルメータ用表示部の赤色のＬＥＤ３０を点滅させることにより、不正なエクスクルーシブ・メッセージが受信されたことを表示する。
【００１８】
ここで、図１に示す構成の音源装置は複数の音源フォーマットの音源として動作することができる。ＭＩＤＩでは個々の楽器（音色）にプログラム・ナンバが割り当てられており、音源フォーマットではプログラム・ナンバに対応する音色や、リズム・パートでの音程とリズム音の割り当て等について規定されている。この音源フォーマットにはメーカ独自の音源フォーマットと、共通化された音源フォーマットとが存在している。共通化された音源フォーマットは、ＧＭ（General MIDI）と称されておりＧＭフォーマットとＧＭ２フォーマットとがある。図１に示す構成の音源装置では、例えば、メーカ独自の音源フォーマットであるＡ音源フォーマットの音源、および、ＧＭフォーマットとＧＭ２フォーマットの音源として動作させることができるようにされている。ただし、Ｂ音源フォーマットは他メーカの音源フォーマットであり、音源装置はＢ音源フォーマットの音源として動作することはできない。そこで、図１に示す音源装置がＢ音源フォーマットの音色を使用するメッセージを受信した場合は、Ｂ音源フォーマットを代替するＢ’音源フォーマットに設定して代替音色で発音させるようにする。
【００１９】
なお、上記した複数の音源フォーマットのいずれかの音源フォーマットの音源とする旨のシステム・エクスクルーシブ・メッセージを音源装置に送れば、そのメッセージを受信した音源装置はその音源フォーマットの音源に設定されて動作するようになる。例えば、音源装置のＭＩＤＩインタフェース１４において、Ａシステムオンのシステム・エクスクルーシブ・メッセージを受信すると、Ａ音源フォーマットの音源となるように設定される。同様に、ＭＩＤＩインタフェース１４において、ＧＭシステムオンあるいはＧＭ２システムオンのシステム・エクスクルーシブ・メッセージを受信すると、ＧＭ音源フォーマットあるいはＧＭ２音源フォーマットの音源となるように設定される。このような、音源フォーマットを設定するシステム・エクスクルーシブ・メッセージは、演奏に先立って初期設定用のパラメータ等を送る際に音源装置に送られる。
【００２０】
音源フォーマットを設定するシステム・エクスクルーシブ・メッセージを受信した音源装置では、指定された音源フォーマットに設定されるが、同時に指定された音源フォーマットを識別できるように表示している。すなわち、受信したＭＩＤＩメッセージの種別がＡ音源フォーマットの音色等を指定する旨のＭＩＤＩメッセージ（Ａシステムオン）とされていた場合は、図６（ａ）に示すようにＬＥＤ２０→ＬＥＤ２１→ＬＥＤ２２→ＬＥＤ２３→ＬＥＤ３０→ＬＥＤ２８→ＬＥＤ２６→ＬＥＤ２４→ＬＥＤ２０・・・と順次右回りに回転するようにＬＥＤを点滅表示させる。これにより、Ａ音源フォーマットが選択されたことが表示される。この場合、パネル表示部１６の全ての範囲が選択されてポート表示用表示部の全てのＬＥＤと、レベルメータ用表示部の１つおきのＬＥＤが選択されて右回りに回転するように点滅表示される。この回転は所定時間継続されて行われ、その回転速度は毎秒５回転程度とされる。
【００２１】
さらに、受信したＭＩＤＩメッセージの種別がＧＭ音源フォーマットの音色等を指定する旨のＭＩＤＩメッセージとされていた場合は、図６（ｂ）に示すようにＬＥＤ２０→ＬＥＤ２１→ＬＥＤ２６→ＬＥＤ２４→ＬＥＤ２０・・・と順次右回りに回転するようにＬＥＤを点滅表示させる。これにより、ＧＭ音源フォーマットの音色が選択されていることが表示される。この場合、パネル表示部１６のＬＥＤ２０、ＬＥＤ２１、ＬＥＤ２６、ＬＥＤ２４が配置されている矩形状の範囲が選択されて、その範囲におけるポート表示用表示部のＬＥＤ２０，ＬＥＤ２１と、レベルメータ用表示部の１つおきのＬＥＤ２６，ＬＥＤ２４が選択されて右回りに回転するように点滅表示される。この回転は所定時間継続されて行われ、その回転速度は毎秒５回転程度とされる。
【００２２】
さらにまた、受信したＭＩＤＩメッセージの種別がＧＭ２音源フォーマットの音色等を指定する旨のＭＩＤＩメッセージとされていた場合は、図６（ｃ）に示すようにＬＥＤ２１→ＬＥＤ２２→ＬＥＤ２８→ＬＥＤ２６→ＬＥＤ２１・・・と順次右回りに回転するようにＬＥＤを点滅表示させる。これにより、ＧＭ２音源フォーマットの音色が選択されていることが表示される。この場合、パネル表示部１６のＬＥＤ２１、ＬＥＤ２２、ＬＥＤ２８、ＬＥＤ２６が配置されている矩形状の範囲が選択されて、その範囲におけるポート表示用表示部のＬＥＤ２１，ＬＥＤ２２と、レベルメータ用表示部の１つおきのＬＥＤ２８，ＬＥＤ２６が選択されて右回りに回転するように点滅表示される。この回転は所定時間継続されて行われ、その回転速度は毎秒５回転程度とされる。
【００２３】
さらにまた、受信したＭＩＤＩメッセージの種別がＢ音源フォーマットの音色等を指定する旨のＭＩＤＩメッセージとされていた場合は、図６（ｄ）に示すようにＬＥＤ２２→ＬＥＤ２３→ＬＥＤ３０→ＬＥＤ２８→ＬＥＤ２２・・・と順次右回りに回転するようにＬＥＤを点滅表示させる。これにより、Ｂ音源フォーマットの音色が選択されていることが表示される。この場合、パネル表示部１６のＬＥＤ２２、ＬＥＤ２３、ＬＥＤ３０、ＬＥＤ２８が配置されている矩形状の範囲が選択されて、その範囲におけるポート表示用表示部のＬＥＤ２２，ＬＥＤ２３と、レベルメータ用表示部の１つおきのＬＥＤ３０，ＬＥＤ２８が選択されて右回りに回転するように点滅表示される。この回転は所定時間継続されて行われ、その回転速度は毎秒５回転程度とされる。
【００２４】
なお、受信したシステム・エクスクルーシブ・メッセージがいずれの音源フォーマットの種別を指定しているかは、受信したシステム・エクスクルーシブ・メッセージのデータ・バイトの内容を解釈することにより判断することができる。また、システム・エクスクルーシブ・メッセージにより、ポート毎に異なる音源フォーマットを設定することも可能である。
【００２５】
ところで、エクスクルーシブ・メッセージはステータス“Ｆ０”とエンド・オフ・エクスクルーシブ（ＥＯＸ）のステータス“Ｆ７”間に必要なバイト数のデータを任意に挿入して送信することができる。これを利用してエクスクルーシブ・メッセージにより、音色パラメータやサンプリング波形データなどのダンプ等を行うことができる。例えば、音色パラメータやサンプリング波形データをパソコンにダンプすると、音色パラメータやサンプリング波形データをパソコンにおいてエディットすることができる。エディット後の音色パラメータやサンプリング波形データは、エクスクルーシブ・メッセージにより音源装置に転送して戻すことができる。そこで、音源フォーマットを指定する以外のエクスクルーシブ・メッセージがＭＩＤＩインタフェース１４に受信された際には、図６（ｅ）に示すように対応するポートがポート表示用表示部により表示されると共に、レベルメータ用表示部において１つおきのＬＥＤ２４，ＬＥＤ２６，ＬＥＤ２８，ＬＥＤ３０が点灯される。これにより、エクスクルーシブ・メッセージが受信されたことが表示されるようになる。
【００２６】
また、システムＲＯＭ１１はフラッシュＲＯＭで構成することもでき、フラッシュＲＯＭで構成するとファームウェアのバージョンアップを可能とすることができる。ここで、パネル操作子１５を操作して、ファームウェアのバージョンアップをすべくフラッシュＲＯＭのダウンロードモードに設定すると、図７（ａ）に示すようにポート表示用表示部の４つのＬＥＤ２０，ＬＥＤ２１，ＬＥＤ２２，ＬＥＤ２３の全てが点灯される。そして、データのシステムＲＡＭ１２へのダウンロード中は、図７（ｂ）に示すようにポート表示用表示部の４つのＬＥＤ２０，ＬＥＤ２１，ＬＥＤ２２，ＬＥＤ２３の全てを点滅表示される。さらに、システムＲＡＭ１２から読み出したデータによりフラッシュＲＯＭの書き換え中は、図７（ｃ）に示すようにパネル表示部１６の全てのＬＥＤ２０〜ＬＥＤ３０の全てが点灯される。次いで、フラッシュＲＯＭへのダウンロードが正常に終了してファームウェアのバージョンアップが終了した場合は、図７（ｄ）に示すようにレベルメータ用表示部の左端のＬＥＤ２４のみが点灯される。また、フラッシュＲＯＭの書き換え中に何らかのエラーが生じた場合は、図７（ｅ）に示すようにレベルメータ用表示部の右端の赤色のＬＥＤ３０のみが点滅表示される。これにより、ダウンロードモードの各状態を表示できるようになる。
【００２７】
また、音源装置にはデバッグ用のモードとしてテストモードが用意されており、パネル操作子１５を操作して、音源装置をテストモードに設定することができる。テストモードに設定されると、図８に示すようにレベルメータ用表示部の１つおきのＬＥＤ２４、ＬＥＤ２６、ＬＥＤ２８が点滅される。これにより、テストモードに入ったことが表示される。
なお、上記した以外のパネル表示部１６の表示態様を用いてファームウェアのバージョンを表示するようにしてもよい。
【００２８】
次に、システムＣＰＵ１０が実行するパネル表示部１６の表示を制御する表示処理を図９に示すフローチャートを参照しながら説明する。
表示処理はＭＩＤＩデータが受信された際にスタートされ、ステップＳ１にてＭＩＤＩインタフェース１４に受信されたＭＩＤＩデータが取得される。次いで、ステップＳ２にて取得されたＭＩＤＩデータのチェックが行われる。ここで、、ＭＩＤＩデータがシステム・エクスクルーシブ・メッセージ以外の通常のメッセージの場合は通常データと判断されて、ステップＳ３に進み通常表示が行われる。この通常表示では、図３（ａ）（ｂ）に示す表示が行われ、ポート表示用表示部により、ＭＩＤＩデータが受信されたポートに対応するＬＥＤ２０〜ＬＥＤ２３のいずれかが点灯される。さらに、レベルメータ用表示部においてポートＡ〜ポートＤに入力されたＭＩＤＩデータのボリュームを合算したトータルボリューム値に応じて、ＬＥＤ２４〜ＬＥＤ３０がバーグラフ状に表示される。
【００２９】
また、ステップＳ２にて受信されたＭＩＤＩデータが不正なＭＩＤＩデータと判断された場合は、ステップＳ１１に進んで図５（ｂ）に示すようにポート表示用表示部のＬＥＤ２１を点灯させると共に、レベルメータ用表示部の赤色のＬＥＤ３０を点滅させることにより、不正なＭＩＤＩメッセージが受信されたことを表示する。
さらに、ステップＳ２にて受信されたＭＩＤＩデータがシステム・エクスクルーシブ・メッセージと判断された場合は、ステップＳ４に進みシステム・エクスクルーシブ・メッセージのチェックが行われる。ステップＳ４にて不正なエクスクルーシブ・メッセージと判断された場合は、ステップＳ１０に進んで図５（ｄ）に示すようにポート表示用表示部のＬＥＤ２３を点灯させると共に、レベルメータ用表示部の赤色のＬＥＤ３０を点滅させることにより、不正なエクスクルーシブ・メッセージが受信されたことを表示する。
【００３０】
また、ステップＳ４にてエクスクルーシブ・メッセージがＡ音源フォーマットの音色等を指定する旨のＡシステムオンのエクスクルーシブ・メッセージと判断された場合は、ステップＳ５に進んで図６（ａ）に示すようにＬＥＤ２０→ＬＥＤ２１→ＬＥＤ２２→ＬＥＤ２３→ＬＥＤ３０→ＬＥＤ２８→ＬＥＤ２６→ＬＥＤ２４→ＬＥＤ２０・・・と順次右回りに回転するようにＬＥＤを点滅表示させる。さらに、エクスクルーシブ・メッセージがＧＭ音源フォーマットの音色等を指定する旨のＧＭシステムオンのエクスクルーシブ・メッセージと判断された場合は、ステップＳ６に進んで図６（ｂ）に示すようにＬＥＤ２０→ＬＥＤ２１→ＬＥＤ２６→ＬＥＤ２４→ＬＥＤ２０・・・と順次右回りに回転するように所定の範囲のＬＥＤを点滅表示させる。さらにまた、エクスクルーシブ・メッセージがＧＭ２音源フォーマットの音色等を指定する旨のＧＭ２システムオンのエクスクルーシブ・メッセージと判断された場合は、ステップＳ７に進んで図６（ｃ）に示すようにＬＥＤ２１→ＬＥＤ２２→ＬＥＤ２８→ＬＥＤ２６→ＬＥＤ２１・・・と順次右回りに回転するように所定の範囲のＬＥＤを点滅表示させる。さらにまた、エクスクルーシブ・メッセージがＢ音源フォーマットの音色等を指定する旨のＢシステムオンのエクスクルーシブ・メッセージと判断された場合は、ステップＳ８に進んで図６（ｄ）に示すようにＬＥＤ２２→ＬＥＤ２３→ＬＥＤ３０→ＬＥＤ２８→ＬＥＤ２２・・・と順次右回りに回転するように所定の範囲のＬＥＤを点滅表示させる。
【００３１】
さらにまた、エクスクルーシブ・メッセージがその他のシステム・エクスクルーシブ・メッセージと判断された場合は、ステップＳ９に進んで図６（ｅ）に示すように対応するポートがポート表示用表示部により表示されると共に、レベルメータ用表示部において１つおきのＬＥＤ２４，ＬＥＤ２６，ＬＥＤ２８，ＬＥＤ３０が点灯される。これにより、その他のシステム・エクスクルーシブ・メッセージが受信されたことが表示される。
ステップＳ３，ステップＳ５，ステップＳ６，ステップＳ７，ステップＳ８，ステップＳ９，ステップＳ１０，ステップＳ１１における表示処理は、所定時間行われ、所定時間経過すると表示処理は終了する。この表示処理は、新たなＭＩＤＩデータが受信される毎に起動されて、上記した表示処理が行われるようになる。
【００３２】
なお、本発明の表示装置は音源装置に限って適用されるものではなく、電子楽器やシーケンサー等の電子的に楽音を生成する装置に適用することができるものである。
また、表示装置はポート表示用表示部とレベルメータ用表示部とで２段に構成されているものとしたが、特定の表示を行う表示部はポート表示用表示部とレベルメータ用表示部に限るものではなく、他の表示を行う表示部であってもよい。また、表示装置は３段以上で構成されていてもよい。
さらに、表示パターンは上記説明した表示パターンに限るものではなく、異なる表示パターンであることが視覚的に認識できればどのような表示パターンであってもよい。例えば、右回転の表示パターンを左回りの表示パターンとしてもよい。さらに、回転速度や点滅速度も視認で区別できる範囲内であればどのような速度としてもよい。さらにまた、光点が左右に往復するように単位表示手段を発光させてもよいし、ＬＥＤ列の各単位表示手段をビットと見なして、エラー番号のような数値を２進数で表示するようにしてもよい。
【００３３】
【発明の効果】
本発明は以上説明したように、レベルメータ表示用の表示手段と、入力ポート表示用の表示手段とを組み合わせて表示を行うことにより、レベルメータ表示や入力ポート表示以外の種々の表示を行うことができるようになる。これにより、新たに表示器を設けることなくエラー表示や入力信号の状態表示等の種々の表示を行うことができるようになる。
例えば、レベルメータ表示用の表示手段のうちの特定の単位表示手段、例えば他と異なる発光色の単位表示手段を点灯させると共に、入力ポート表示用の単位表示手段を選択的に点灯させることにより、種々のエラー状態等を表示させることができるようになる。
【００３４】
さらに、レベルメータ表示用の表示手段と、入力ポート表示用の表示手段とを矩形状の範囲で選択して回転表示されるように順次点滅制御することにより、入力信号種別を表示して、使用する音源フォーマットを表示することができるようになる。
さらにまた、表示手段を構成する単位表示手段を所定間隔おきに複数選択して点灯させることにより、テストモード等の動作状態にはいったことを表示することができる。
【図面の簡単な説明】
【図１】  本発明の表示装置を備える音源装置のハードウェアの構成例を示す図である。
【図２】  図１に示す音源装置における本発明にかかる表示装置であるパネル表示部の構成を示す図である。
【図３】  本発明にかかる表示装置において、通常（プレイモード時）の表示状態を示す図である。
【図４】  本発明にかかる表示装置において、電源ＯＮ時の表示状態を示す図である。
【図５】  本発明にかかる表示装置において、エラー発生時の表示状態を示す図である。
【図６】  本発明にかかる表示装置において、ＭＩＤＩメッセージ受信時の表示状態を示す図である。
【図７】  本発明にかかる表示装置において、ダウンロードモード時の表示状態を示す図である。
【図８】  本発明にかかる表示装置において、テストモード時の表示状態を示す図である。
【図９】  本発明にかかる表示装置において、表示処理のフローチャートを示す図である。
【符号の説明】
１０  システムＣＰＵ、１１  システムＲＯＭ、１２  システムＲＡＭ、１３  ＤＳＰ、１４  ＭＩＤＩインタフェース、１５  パネル操作子、１６  パネル表示部、１７  バス、２０〜２３  ＬＥＤ、３４〜３０  ＬＥＤ
【図１】
0003685010.tif 000002
【図２】
0003685010.tif 000003
【図３】
0003685010.tif 000004
【図４】
0003685010.tif 000005
【図５】
0003685010.tif 000006
【図６】
0003685010.tif 000007
【図７】
0003685010.tif 000008
【図８】
0003685010.tif 000009
【図９】
0003685010.tif 000010